(57)【要約】【課題】汗に含まれる乳酸の検出を複数行うときに刺激応答性ゲル２１の１回の交換で乳酸の検出を複数回行えるゲルセンサーを提供する。【解決手段】汗２４を吸収し汗２４に含まれる乳酸に反応するゲル状の第１ゲル２１ａ〜第７ゲル２１ｇを有する刺激応答性ゲル２１と、汗２４を刺激応答性ゲル２１に輸送する吐出ポンプ１４と、吐出ポンプ１４が汗２４を設置する場所を切り替える回転ダイアル１２と、を備える。【選択図】図８
2017079911.tif 000002
【特許請求の範囲】
【請求項１】
被検査液を吸収し前記被検査液の所定の成分に反応するゲル状の反応部を複数有する反応部群と、
前記被検査液を前記反応部に輸送する液体輸送部と、
前記液体輸送部が前記被検査液を設置する前記反応部を切り替える切替部と、を備えることを特徴とするゲルセンサー。
【請求項２】
請求項１に記載のゲルセンサーであって、
前記液体輸送部が輸送する前記被検査液を貯留する貯留部を備え、
前記切替部は前記液体輸送部が前記被検査液を設置する場所を前記貯留部に切り替えることを特徴とするゲルセンサー。
【請求項３】
請求項１または２に記載のゲルセンサーであって、
前記反応部は前記液体輸送部を囲んで配置され、
前記切替部は前記反応部と前記液体輸送部とを相対的に回転させることを特徴とするゲルセンサー。
【請求項４】
請求項１〜３のいずれか一項に記載のゲルセンサーであって、
前記液体輸送部は柔軟な壁を有する凹部を備え、
前記凹部の体積を増減して前記凹部内に位置する前記被検査液を輸送することを特徴とするゲルセンサー。
【請求項５】
請求項１〜４のいずれか一項に記載のゲルセンサーであって、
前記反応部及び前記液体輸送部が着脱可能であることを特徴とするゲルセンサー。
【請求項６】
請求項１〜５のいずれか一項に記載のゲルセンサーであって、
前記反応部は前記被検査液の所定の成分に反応して色が変化し、
前記反応部の色が見える窓を備えることを特徴とするゲルセンサー。
【請求項７】
請求項６に記載のゲルセンサーであって、
前記窓には前記反応部の色調の見本が表示されていることを特徴とするゲルセンサー。
【請求項８】
請求項１〜７のいずれか一項に記載のゲルセンサーであって、
前記反応部の変化をデータ信号に変換する変換部と、
前記変換部が出力するデータ信号から被検査液に含まれる特定物質の量を演算する演算部と、を備えることを特徴とするゲルセンサー。
【請求項９】
請求項８に記載のゲルセンサーであって、
前記変換部は前記反応部の色調を検出する色調センサーを備えることを特徴とするゲルセンサー。
【請求項１０】
請求項８に記載のゲルセンサーであって、
前記変換部は前記反応部の導電率を検出する導電率センサーを備えることを特徴とするゲルセンサー。
【請求項１１】
請求項１０に記載のゲルセンサーであって、
前記反応部は膜であり前記導電率センサーは前記膜の対向する面に設置された電極を含むことを特徴とするゲルセンサー。
【発明の詳細な説明】
【技術分野】
【０００１】
本発明は、ゲルセンサーに関するものである。
【背景技術】
【０００２】
生体の筋肉にはピルビン酸が含まれている。筋肉が無酸素運動をするときピルビン酸が乳酸に変換される。そして、筋肉が運動をするときに汗腺付近の組織が酸素不足になると汗中の乳酸値が増加する。そして、汗中の乳酸値を検出することにより筋肉への酸素供給が足りているか否かを検出することができる。運動により筋肉は持久力が向上する。このときの汗中の乳酸値と運動強度との関係が研究されている。
【０００３】
皮膚表面に位置する物質を検出する検出装置が特許文献１に開示されている。それによると、この検出装置は汗中の乳酸と反応する反応部を複数有する反応部群、皮膚から反応部へ汗を移動させる液体輸送部を備える。液体輸送部は汗を反応部へ移動させる速度を変える仕組みを備えている。複数の反応部は汗と反応する時間が異なっている。これにより、測定開始後、所定の時間間隔で複数回汗を分析して経時変化を調査することができる。
【０００４】
そして、反応部は乳酸と反応して誘電率や伝導率等の電気特性が変化する。乳酸値が変化する推移を検出装置は電気的信号として取り出すことができる。
【先行技術文献】
【特許文献】
【０００５】
【特許文献１】特表２０１５−５１３１０４号公報
【発明の概要】
【発明が解決しようとする課題】
【０００６】
特許文献１の検出装置では汗を所定の時間差を持たせて汗を各反応部に供給する。汗に含まれる乳酸を検出するために汗を反応部に浸透させる。そして、複数の反応部は検出を開始したら総ての反応部に順次汗が供給される。乳酸の検出を開始したら総ての反応部が使用された。汗と反応させた後の反応部は継続して利用することが難しい。従って、乳酸を検出する毎に使用済の反応部を除去して未使用の反応部と交換する必要があった。そこで、被検査液に含まれる所定物質の検出を複数行うときに反応部の１回の交換で検出を複数回行えるゲルセンサーが望まれていた。
【課題を解決するための手段】
【０００７】
本発明は、上述の課題を解決するためになされたものであり、以下の形態または適用例として実現することが可能である。
【０００８】
［適用例１］
本適用例にかかるゲルセンサーであって、被検査液を吸収し前記被検査液の所定の成分に反応するゲル状の反応部を複数有する反応部群と、前記被検査液を前記反応部に輸送する液体輸送部と、前記液体輸送部が前記被検査液を設置する前記反応部を切り替える切替部と、を備えることを特徴とする。
【０００９】
本適用例によれば、ゲルセンサーは反応部群、液体輸送部及び切替部を備えている。反応部群は反応部を複数有している。そして、液体輸送部は被検査液を反応部に輸送する。その反応部は被検査液を吸収し被検査液の所定の成分に反応する。切替部は液体輸送部が被検査液を設置する反応部を切り替える。
【００１０】
一回反応させた反応部には被検査液を含んでいるので再利用するのが難しい。反応部群に未反応の反応部があるとき切替部が被検査液を設置する反応部を未反応の反応部に切り替える。これにより、被検査液の所定の成分への反応を複数回行うことができる。
【００１１】
［適用例２］
上記適用例にかかるゲルセンサーにおいて、前記液体輸送部が輸送する前記被検査液を貯留する貯留部を備え、前記切替部は前記液体輸送部が前記被検査液を設置する場所を前記貯留部に切り替えることを特徴とする。
【００１２】
本適用例によれば、ゲルセンサーは貯留部を備えている。貯留部は液体輸送部が輸送する被検査液を貯留する。そして、切替部は液体輸送部が被検査液を設置する場所を貯留部に切り替える。従って、液体輸送部の内部に存在する被検査液を除去したいときには、切替部が被検査液を設置する場所を貯留部に切り替える。そして、液体輸送部の内部に存在する被検査液を貯留部に移動させることができる。その結果、液体輸送部の内部を清浄にすることができる。
【００１３】
［適用例３］
上記適用例にかかるゲルセンサーにおいて、前記反応部は前記液体輸送部を囲んで配置され、前記切替部は前記反応部と前記液体輸送部とを相対的に回転させることを特徴とする。
【００１４】
本適用例によれば、反応部は液体輸送部を囲んで配置されている。そして、切替部は反応部と液体輸送部とを相対的に回転する。従って、切替部は反応部と液体輸送部との一方を回転させるだけで被検査液を設置する反応部を切り替えることができる。その結果、切替部を簡易な構造にすることができる。
【００１５】
［適用例４］
上記適用例にかかるゲルセンサーにおいて、前記液体輸送部は柔軟な壁を有する凹部を備え、前記凹部の体積を増減して前記凹部内に位置する前記被検査液を輸送することを特徴とする。
【００１６】
本適用例によれば、液体輸送部は凹部を備えている。凹部の壁は柔軟なので、凹部の体積を増減することができる。凹部内に被検査液が位置するとき、凹部の体積を増減することにより被検査液を輸送することができる。従って、液体輸送部は簡便な構造で被検査液を輸送することができる。
【００１７】
［適用例５］
上記適用例にかかるゲルセンサーにおいて、前記反応部及び前記液体輸送部が着脱可能であることを特徴とする。
【００１８】
本適用例によれば、反応部及び液体輸送部が着脱可能である。反応部及び液体輸送部を着脱して交換することにより、反応部を未反応の状態にすることができる。さらに、液体輸送部に時間が経て変質した被検査液が付着するときにも、液体輸送部を被検査液が付着していない状態にすることができる。
【００１９】
［適用例６］
上記適用例にかかるゲルセンサーにおいて、前記反応部は前記被検査液の所定の成分に反応して色が変化し、前記反応部の色が見える窓を備えることを特徴とする。
【００２０】
本適用例によれば、反応部は被検査液の所定の成分に反応して色が変化する。そして、ゲルセンサーは反応部の色が見える窓を備えている。従って、容易に反応部が反応している程度を目視確認することができる。
【００２１】
［適用例７］
上記適用例にかかるゲルセンサーにおいて、窓には前記反応部の色調の見本が表示されていることを特徴とする。
【００２２】
本適用例によれば、窓には反応部の色調の見本が表示されている。従って、反応部が反応している程度を色調の見本と比較して評価することができる。
【００２３】
［適用例８］
上記適用例にかかるゲルセンサーにおいて、前記反応部の変化をデータ信号に変換する変換部と、前記変換部が出力するデータ信号から被検査液に含まれる特定物質の量を演算する演算部と、を備えることを特徴とする。
【００２４】
本適用例によれば、ゲルセンサーは変換部及び演算部を備えている。被検査液に含まれる特定物質の量に応じて反応部が変化する。そして、変換部は反応部の変化を検出してデータ信号に変換する。演算部はデータ信号から被検査液に含まれる特定物質の量を演算する。従って、ゲルセンサーは被検査液に含まれる特定物質の量を定量的に測定することができる。
【００２５】
［適用例９］
上記適用例にかかるゲルセンサーにおいて、前記変換部は前記反応部の色調を検出する色調センサーを備えることを特徴とする。
【００２６】
本適用例によれば、変換部は色調センサーを備え、色調センサーが反応部の色調を検出する。従って、変換部は反応部の変化をデータ信号に変換することができる。
【００２７】
［適用例１０］
上記適用例にかかるゲルセンサーにおいて、前記変換部は前記反応部の導電率を検出する導電率センサーを備えることを特徴とする。
【００２８】
本適用例によれば、変換部は導電率センサーを備え、導電率センサーが反応部の導電率を検出する。従って、変換部は反応部の変化をデータ信号に変換することができる。
【００２９】
［適用例１１］
上記適用例にかかるゲルセンサーにおいて、前記反応部は膜であり前記導電率センサーは前記膜の対向する面に設置された電極を含むことを特徴とする。
【００３０】
本適用例によれば、反応部は膜であるので、薄く広い形状となっている。そして、導電率センサーは電極を有し、電極は膜の対向する面に設置されている。従って、電極は厚み方向に設置するときに比べて広い面積にすることができる。電極が広い為導電率センサーは低い電圧で反応部の導電率を検出することができる。
【図面の簡単な説明】
【００３１】
【図１】第１の実施形態にかかわる乳酸値測定装置の設置例を説明するための模式図。
【図２】乳酸値測定装置の構造を示す模式平面図。
【図３】乳酸値測定装置の構造を示す模式平面図。
【図４】乳酸値測定装置の構造を示す分解斜視図。
【図５】裏蓋の開閉構造を説明するための模式側面図。
【図６】乳酸値測定装置の構造を説明するための模式側断面図。
【図７】乳酸値測定装置の構造を説明するための模式側断面図。
【図８】乳酸値測定装置の構造を説明するための模式平断面図。
【図９】乳酸値測定方法のフローチャート。
【図１０】生体情報取得方法を説明するための模式図。
【図１１】生体情報取得方法を説明するための模式図。
【図１２】生体情報取得方法を説明するための模式図。
【図１３】生体情報取得方法を説明するための模式図。
【図１４】生体情報取得方法を説明するための模式図。
【図１５】生体情報取得方法を説明するための模式図。
【図１６】生体情報取得方法を説明するための模式図。
【図１７】第２の実施形態にかかわる乳酸値測定装置の構造を説明するための模式側断面図。
【図１８】乳酸値測定装置の電気制御ブロック図。
【図１９】第３の実施形態にかかわる乳酸値測定装置の構造を説明するための模式側断面図。
【図２０】乳酸値測定装置の電気制御ブロック図。
【図２１】第４の実施形態にかかわるグルコース測定装置の電気制御ブロック図。
【図２２】第５の実施形態にかかわるグルコース測定装置の電気制御ブロック図。
【発明を実施するための形態】
【００３２】
以下、実施形態について図面に従って説明する。尚、各図面における各部材は、各図面上で認識可能な程度の大きさとするため、各部材毎に縮尺を異ならせて図示している。
【００３３】
（第１の実施形態）
本実施形態では、乳酸値測定装置と乳酸値測定装置を用いて乳酸値を測定する乳酸値測定方法との特徴的な例について、図に従って説明する。第１の実施形態にかかわる乳酸値測定装置について図１〜図１６に従って説明する。図１は、乳酸値測定装置の設置例を説明するための模式図である。図１に示すように、ゲルセンサーとしての乳酸値測定装置１は被検体としての被検者２の手首に設置される。乳酸値測定装置１は、被検者２の汗に含まれる特定物質としての乳酸の乳酸値を測定する医療用の測定装置であり、医療機器である。乳酸値測定装置１は手首からでる汗を測定する。
【００３４】
図２及び図３は乳酸値測定装置の構造を示す模式平面図である。図２は乳酸値測定装置１の表面を示し、図３は乳酸値測定装置１の裏面を示す。図２に示すように、乳酸値測定装置１は腕時計と類似した形状になっている。乳酸値測定装置１は外装部３を備えている。外装部３の図中左右には固定バンド４が設置され、固定バンド４は被検者２の手首や腕等の被測定部に乳酸値測定装置１を固定する。固定バンド４にはマジックテープ（登録商標）が用いられている。乳酸値測定装置１において固定バンド４が延びる方向をＹ方向とし、被検者２の腕が延びる方向をＸ方向とする。乳酸値測定装置１が被検者２の手首を向く方向をＺ方向とする。Ｘ方向、Ｙ方向及びＺ方向は互いに直交する。
【００３５】
外装部３の表面３ａは被検者２に装着したときに外向きになる面である。外装部３の表面３ａの中央には第１貫通孔５が設置されている。第１貫通孔５の−Ｘ方向側には窓としての第２貫通孔６が設置され、第１貫通孔５の−Ｙ方向側には第３貫通孔７が設置されている。第１貫通孔５からは吐出ボタン８が突出している。第２貫通孔６及び第３貫通孔７からは乳酸値測定装置１の内部が観測することができる。
【００３６】
図３に示すように、外装部３の裏面３ｂ側には裏蓋９が設置され、裏蓋９には第４貫通孔９ａが設置されている。乳酸値測定装置１の内部にはセンサーモジュール１０が設置され、第４貫通孔９ａからセンサーモジュール１０が露出する。センサーモジュール１０は被検者２の皮膚と対向させて用いられる。センサーモジュール１０は被検者２の皮膚からでる汗に含まれる所定の成分としての乳酸を検出するデバイスである。乳酸値測定装置１において皮膚は被検査面であり、汗は被検査液である。センサーモジュール１０は乳酸と反応するゲル状の薬剤を内蔵するモジュールである。
【００３７】
図４は乳酸値測定装置の構造を示す分解斜視図である。図４に示すように、乳酸値測定装置１はＺ方向側から裏蓋９、センサーモジュール１０、表ケース１１の順に重ねて構成されている。裏蓋９及び表ケース１１により外装部３が構成されている。そして、センサーモジュール１０が外装部３に収納されている。
【００３８】
裏蓋９は板状の部材であり、被検者２の皮膚と対面して接触する部材である。裏蓋９は中央に円形の第４貫通孔９ａが設置され、第４貫通孔９ａからセンサーモジュール１０の一部が露出する。裏蓋９のＸ方向側には蝶番９ｂが設置されている。蝶番９ｂの一方は表ケース１１と接続されている。裏蓋９において−Ｘ方向側の側面には凹部９ｃが設置されている。凹部９ｃは裏蓋９を閉じた状態に維持するときに用いられる。
【００３９】
裏蓋９において−Ｚ方向側の面には回転ダイアル１２及び案内車１３が設置されている。回転ダイアル１２は１つであり、案内車１３は３つ設置されている。回転ダイアル１２の軸１２ａ及び案内車１３の軸１３ａはＺ方向に延びており裏蓋９及び表ケース１１に挟まれている。
【００４０】
センサーモジュール１０は液体輸送部としての吐出ポンプ１４と反応ユニット１５とを備えている。そして、回転ダイアル１２及び案内車１３の外周は反応ユニット１５の外周と接しており、回転ダイアル１２及び案内車１３は反応ユニット１５を回転可能に案内する。回転ダイアル１２を回転すると反応ユニット１５が回転する。回転ダイアル１２は反応ユニット１５を回転させる回転装置になっている。
【００４１】
吐出ポンプ１４は＋Ｚ方向側の面が第４貫通孔９ａから露出する。そして、吐出ポンプ１４は被検者２の皮膚と対向する。吐出ポンプ１４の＋Ｚ方向側にはスカート部１６が設置されている。スカート部１６は円錐筒状であり弾性部材により形成されている。そして、スカート部１６の−Ｚ方向側は有底円筒状の吐出ボタン８が設置され、吐出ボタン８の内部にはＺ方向に延びる孔が設置されている。吐出ボタン８がＺ方向に押されるとスカート部１６が変形して吐出ボタン８がＺ方向に移動する。
【００４２】
吐出ボタン８においてＺ方向の中程には吐出ボタン８と接続し裏蓋９の平面方向に延びる吐出パイプ１７が設置されている。吐出ボタン８内の孔と吐出パイプ１７内の孔とは連通している。
【００４３】
反応ユニット１５は有底円筒状の容器１８を備えている。容器１８は隔壁１８ａにより８つの部屋に仕切られている。８つの部屋のうち７つの部屋には反応部としての刺激応答性ゲル２１が設置され、１つの部屋には貯留部２２が設置されている。
【００４４】
刺激応答性ゲル２１は、汗に含まれる乳酸に対して反応する薬剤を含むゲル状のものである。刺激応答性ゲル２１の構成材料は特に限定されないが本実施形態では、例えば、架橋構造を有する高分子材料と、溶媒とを含む材料等で構成されている。高分子材料が汗に対して反応する薬剤になっている。
【００４５】
刺激応答性ゲル２１を構成する高分子材料としては、例えば、単量体、重合開始剤、架橋剤等を反応させることにより得られたものを用いることができる。単量体はモノマーとも称される。
【００４６】
単量体としては、例えば、アクリルアミド、Ｎ−メチルアクリルアミド、Ｎ−イソプロピルアクリルアミド、Ｎ，Ｎ−ジメチルアクリルアミド、Ｎ，Ｎ−ジメチルアミノプロピルアクリルアミド、Ｎ，Ｎ−ジメチルアミノプロピルアクリルアミド各種四級塩、アクリロイルモルホリン、Ｎ，Ｎ−ジメチルアミノエチルアクリレート各種四級塩、アクリル酸、各種アルキルアクリレート、メタクリル酸、各種アルキルメタクリレート、２−ヒドロキシエチルメタクリレート、グリセロールモノメタクリレート、Ｎ−ビニルピロリドン、アクリロニトリル、スチレン、ポリエチレングリコールジアクリレート、１，６−ヘキサンジオールジアクリレート、ネオペンチルグリコールジアクリレート、トリプロピレングリコールジアクリレート、ポリプロピレングリコールジアクリレート、２，２−ビス〔４−（アクリロキシジエトキシ）フェニル〕プロパン、２，２−ビス〔４−（アクリロキシポリエトキシ）フェニル〕プロパン、２−ヒドロキシ−１−アクリロキシ−３−メタクリロキシプロパン、２，２−ビス〔４−（アクリロキシポリプロポキシ）フェニル〕プロパン、エチレングリコールジメタクリレート、ジエチレングリコールジメタクリレート、トリエチレングリコールジメタクリレート、ポリエチレングリコールジメタクリレート、１，３−ブチレングリコールジメタクリレート、１，６−ヘキサンジオールジメタクリレート、ネオペンチルグリコールジメタクリレート、ポリプロピレングリコールジメタクリレート、２−ヒドロキシ−１，３−ジメタクリロキシプロパン、２，２−ビス〔４−（メタクリロキシエトキシ）フェニル〕プロパン、２，２−ビス〔４−（メタクリロキシエトキシジエトキシ）フェニル〕プロパン、２，２−ビス〔４−（メタクリロキシエトキシポリエトキシ）フェニル〕プロパン、トリメチロールプロパントリメタクリレート、テトラメチロールメタントリメタクリレート、トリメチロールプロパントリアクリレート、テトラメチロールメタントリアクリレート、テトラメチロールメタンテトラアクリレート、ジペンタエリスリトールヘキサアクリレート、Ｎ，Ｎ’−メチレンビスアクリルアミド、Ｎ，Ｎ’−メチレンビスメタクリルアミド、ジエチレングリコールジアリルエーテル、ジビニルベンゼン等が挙げられる。
【００４７】
乳酸を検出するために単量体として、３−アクリルアミドフェニルボロン酸、ビニルフェニルボロン酸、アクリロイロキシフェニルボロン酸、Ｎ−イソプロピルアクリルアミド（ＮＩＰＡＡｍ）、エチレンビスアクリルアミド、Ｎ−ヒドロキシエチルアクリルアミド等を好適に用いることができる。詳しくは、単量体として、３−アクリルアミドフェニルボロン酸、ビニルフェニルボロン酸及びアクリロイロキシフェニルボロン酸よりなる群から選択される１種または２種以上の単量体と、Ｎ−イソプロピルアクリルアミド（ＮＩＰＡＡｍ）、エチレンビスアクリルアミド及びＮ−ヒドロキシエチルアクリルアミドよりなる群から選択される１種または２種以上の単量体とを組み合わせて用いるのが好ましい。
【００４８】
重合開始剤としては、例えば、その重合様式によって、適宜選択することができる。具体的には、重合開始剤に過酸化水素、過硫酸塩、例えば過硫酸カリウム、過硫酸ナトリウム、過硫酸アンモニウム等、アゾ系開始剤、例えば２，２’−アゾビス（２−アミジノプロパン）２塩酸塩、２，２’−アゾビス（Ｎ，Ｎ’−ジメチレンイソブチルアミジン）２塩酸塩、２，２’−アゾビス｛２−メチル−Ｎ−〔１，１，−ビス（ヒドロキシメチル）−２−ヒドロキシエチル〕プロピオンアミド｝、２，２’−アゾビス〔２−（２−イミダゾリン−２−イル）プロパン〕２塩酸塩、４，４’−アゾビス（４−シアノ吉草酸）、２，２’−アゾビスイソブチロニトリル、２，２’−アゾビス（２，４’−ジメチルバレロニトリル）、ベンゾフェノン、２，２−ジメトキシ−１，２−ジフェニルエタン−１−オン、１−ヒドロキシシクロヘキシルフェニルケトン、２−ヒドロキシ−２−メチル−１−フェニルプロパン−１−オン、２，４，６−トリメチルベンゾイルジフェニルホスホンオキサイド、１−［４−（２−ヒドロキシエトキシ）−フェニル］−２−ヒドロキシ−２−メチル−１−プロパン−１−オン等の紫外光によってラジカルを発生する化合物、２，４−ジエチルチオキサントン、イソプロピルチオキサントン、１−クロロ−４−プロポキシチオキサントン、２−（３−ジメチルアミノ−２−ヒドロキシプロポキシ）−３，４−ジメチル−９Ｈ−チオキサントン−９−オンメソクロライド、２−メチル−１［４−（メチルチオ）フェニル］−２−モルホリノプロパン−１、２−ベンジル−２−ジメチルアミノ−１−（４−モルホリノフェニル）−ブタノン−１、ビス（シクロペンタジエニル）−ビス（２，６−ジフルオロ−３−（ピル−１−イル）チタニウム、１，３−ジ（ｔ−ブチルペルオキシカルボニル）ベンゼンや３，３’，４，４’−テトラ−（ｔ−ブチルペルオキシカルボニル）ベンゾフェノン等のパーオキシエステルに、チオピリリウム塩、メロシアニン、キノリン、スチルキノリン系色素を混合した物質等の３６０ｎｍ以上の波長の光によってラジカルを発生する化合物等を用いることができる。また、過酸化水素あるいは過硫酸塩は、例えば、亜硫酸塩、Ｌ−アスコルビン酸等の還元性物質やアミン塩等を組み合わせてレドックス系の開始剤としても使用することができる。
【００４９】
架橋剤には、重合性官能基を２個以上有する化合物を用いることができ、具体的には、エチレングリコール、プロピレングリコール、トリメチロールプロパン、グリセリン、ポリオキシエチレングリコール、ポリオキシプロピレングリコール、ポリグリセリン、Ｎ，Ｎ’−メチレンビスアクリルアミド、Ｎ，Ｎ−メチレン−ビス−Ｎ−ビニルアセトアミド、Ｎ，Ｎ−ブチレン−ビス−Ｎ−ビニルアセトアミド、トリレンジイソシアネート、ヘキサメチレンジイソシアネート、アリル化デンプン、アリル化セルロース、ジアリルフタレート、テトラアリロキシエタン、ペンタエリストールトリアリルエーテル、トリメチロールプロパントリアリルエーテル、ジエチレングリコールジアリルエーテル、トリアリルトリメリテート等を用いることができる。
【００５０】
刺激応答性ゲルは、異なる複数種の高分子材料を含むものであってもよい。刺激応答性ゲル中における高分子材料の含有率は、０．７質量％以上３６．０質量％以下であるのが好ましく、２．４質量％以上２７．０質量％以下であるのがより好ましい。
【００５１】
刺激応答性ゲル２１が溶媒を含む構成にすることにより、高分子材料を好適にゲル化させることができる。溶媒としては、各種有機溶媒や無機溶媒を用いることができる。より具体的には溶媒は、例えば、水；メタノール、エタノール等の各種アルコール；アセトン等のケトン類；テトラヒドロフラン、ジエチルエーテル等のエーテル類；ジメチルホルムアミド等のアミド類；ｎ−ペンタン、ｎ−ヘキサン、ｎ−ヘプタン、ｎ−オクタン等の鎖状脂肪族炭化水素；シクロヘキサン、メチルシクロヘキサン等の脂環式炭化水素；ベンゼン、トルエン、キシレン等の芳香族類等が挙げられるが、特に、水を含むものであるのが好ましい。
【００５２】
刺激応答性ゲル２１は、溶媒として異なる複数種の成分を含む構成にしてもよい。刺激応答性ゲル２１中における溶媒の含有率は、３０質量％以上９５質量％以下であるのが好ましく、５０質量％以上９０質量％以下であるのがより好ましい。
【００５３】
刺激応答性ゲル２１の大きさは特に限定されないが本実施形態では、例えば、刺激応答性ゲル２１の直径は２０ｍｍであり、刺激応答性ゲル２１の厚みは１０００μｍになっている。刺激応答性ゲル２１を製造するときには容器１８を用いる。容器１８内に単量体、重合開始剤、架橋剤等を投入して反応させる。投入する材料の量を精度良く計量することにより刺激応答性ゲル２１の厚みを精度良く形成することができる。
【００５４】
刺激応答性ゲル２１はポリマー鎖を有している。このポリマー鎖にはボロン酸基が多く設置されている。刺激応答性ゲル２１に乳酸が浸透していないとき、ボロン酸基同士が結合しポリマー鎖が接近した状態になっている。これにより、刺激応答性ゲル２１は収縮した状態になっている。刺激応答性ゲル２１に乳酸が浸透するとき、ボロン酸基と乳酸とが結合する。そして、刺激応答性ゲル２１が乳酸に反応するとき、ポリマー鎖が解離した状態になるため、刺激応答性ゲル２１の体積が膨張する。刺激応答性ゲル２１の形態が変化するので刺激応答性ゲル２１の導電率が変化する。
【００５５】
さらに、刺激応答性ゲル２１は反射率の高い微粒子を含んでいる。刺激応答性ゲル２１に乳酸が取り込まれた際に、コロイド結晶による構造色及び構造色の変化が容易に視認される。このため、乳酸値の検出をより容易に行うことができる。また、刺激応答性ゲル２１の色調により乳酸値の推定を容易に且つ正確に行うことができる。本実施形態では例えば、刺激応答性ゲル２１に含まれる乳酸値が少ないときには青系統の色をしており、乳酸値が増えるときには赤色に変化する。
【００５６】
微粒子の構成材料としては、シリカ、酸化チタン等の無機材料；ポリスチレン、ポリエステル、ポリイミド、ポリオレフィン、ポリメタクリル酸メチル、ポリエチレン、ポリプロピレン、ポリエチレン、ポリエーテルスルフォン、ナイロン、ポリウレタン、ポリ塩化ビニル、ポリ塩化ビニリデン等の有機材料等が挙げられる。微粒子は、シリカ微粒子であるのが好ましい。これにより、微粒子の形状の安定性等を特に優れたものとし、刺激応答性ゲルの耐久性、信頼性等を特に優れたものとすることができる。また、シリカ微粒子は、粒度分布がシャープな単分散微粒子として入手が比較的容易であるため、刺激応答性ゲルの安定的な生産、供給の観点からも有利である。
【００５７】
微粒子の形状は特に限定されないが球状であるのが好ましい。これにより、コロイド結晶による構造色または構造色の変化が視認されやすくなり、特定成分の検出をより容易に行うことができる。微粒子の平均粒子径は、特に限定されないが、１０ｎｍ以上１０００ｎｍ以下であるのが好ましく、２０ｎｍ以上５００ｎｍ以下であるのがより好ましい。
【００５８】
これにより、刺激応答性ゲルに特定成分が取り込まれた際に、コロイド結晶による構造色または構造色の変化がより容易に視認されるため、特定成分の検出をさらに容易に行うことができる。また、コロイド結晶による構造色がより容易に視認されるため、その色調により特定成分の定量もさらに容易に且つ精確に行うことができる。
【００５９】
平均粒子径は体積基準の平均粒子径を示す。例えば、サンプルをメタノールに添加し、超音波分散器で３分間分散した分散液をコールターカウンター法粒度分布測定器にて測定する。このとき、５０μｍのアパチャーを用いて測定することによりサンプルの平均粒子径を求めることができる。
【００６０】
刺激応答性ゲル２１は異なる複数種の微粒子を含んでもよい。刺激応答性ゲル中における微粒子の含有率は、１．６質量％以上３６質量％以下であるのが好ましく、４．０質量％以上２４質量％以下であるのがより好ましい。
【００６１】
貯留部２２は吸水性を有している。貯留部２２を構成する材料は水分を吸収すれば良く特に限定されない。例えば、貯留部２２には高分子吸水ポリマーを用いることができる。高分子吸水ポリマーとしては、例えば、デンプンーアクリル酸共重合体架橋物、ポリアクリル酸塩架橋物、自己架橋したポリアクリル酸塩、アクリル酸エステルー酢酸ビニル共重合体架橋物のケン化物、イソブチレン、無水マレイン酸共重合体架橋物、ポリスルホン酸塩架橋物、変性セルロース誘導体、架橋ポリエチレンオキシド等を用いることができる。特に、イオン浸透圧により多量の液を吸収して保持できるアクリル酸塩やアクリル酸を重合体の主単量体成分とするポリアクリル酸ナトリウム系の樹脂を用いるのが好ましい。
【００６２】
容器１８の中央にはＺ方向に延びる貫通孔１８ｂが設置されている。貫通孔１８ｂに吐出ボタン８が挿入され、貫通孔１８ｂは吐出ボタン８をＺ方向に案内する。図中吐出パイプ１７が容器１８の＋Ｚ方向側に描かれている。吐出ボタン８は貫通孔１８ｂより−Ｚ方向側に突出し、吐出パイプ１７は容器１８の−Ｚ方向側に位置する。
【００６３】
貫通孔１８ｂの周囲には輪形状の表示板１８ｃが設置されている。表示板１８ｃには８つの部屋に対応して“１”〜“８”までの数字が記載されている。数字“１”〜数字“７”は刺激応答性ゲル２１が設置された場所を示し、数字“８”は貯留部２２を示している。
【００６４】
容器１８の−Ｚ方向側には表ケース１１が設置されている。表ケース１１の第１貫通孔５は貫通孔１８ｂと同軸となるように配置されている。そして、吐出ボタン８が貫通孔１８ｂ及び第１貫通孔５を貫通する。そして、吐出ボタン８は第１貫通孔５から突出する。
【００６５】
第２貫通孔６は表示板１８ｃ及び刺激応答性ゲル２１と対向する場所に位置する。そして、操作者は第２貫通孔６を通して刺激応答性ゲル２１と表示板１８ｃに表示された数字を確認できる。第３貫通孔７は刺激応答性ゲル２１及び吐出パイプ１７と対向する場所に位置する。そして、操作者は第３貫通孔７を通して吐出パイプ１７から汗が刺激応答性ゲル２１に吐出されるのを確認することができる。
【００６６】
図５は裏蓋の開閉構造を説明するための模式側面図である。図５に示すように、裏蓋９は蝶番９ｂを軸にして開閉する。裏蓋９を開けたとき、センサーモジュール１０が総て露出する。そして、操作者はセンサーモジュール１０を着脱することができる。表ケース１１の−Ｘ方向側にはＸ方向に移動可能に設置された開閉摘み２３が設置されている。開閉摘み２３は図示しないバネにより＋Ｘ方向に付勢されている。開閉摘み２３の＋Ｘ方向側には２面が交差する凸部２３ａが設置されている。
【００６７】
蝶番９ｂを軸にして裏蓋９を閉める。このとき、開閉摘み２３の凸部２３ａが裏蓋９の凹部９ｃに挿入される。これにより、開閉摘み２３は裏蓋９が閉じた状態を維持することができる。
【００６８】
センサーモジュール１０では刺激応答性ゲル２１及び吐出ポンプ１４が着脱可能である。刺激応答性ゲル２１及び吐出ポンプ１４を着脱して交換することにより、刺激応答性ゲル２１を未反応の状態にすることができる。さらに、吐出ポンプ１４に時間が経て変質した汗が付着するときにも、吐出ポンプ１４に汗が付着していない状態にすることができる。
【００６９】
図６は乳酸値測定装置の構造を説明するための模式側断面図である。図６に示すように、吐出ポンプ１４は＋Ｚ方向側に凹部１４ａが設置されている。凹部１４ａの壁は弾性材料からなり柔軟になっている。そして、凹部１４ａは吐出ボタン８及び吐出パイプ１７の内部に設置された流路１４ｂと接続されている。
【００７０】
吐出ポンプ１４のスカート部１６には外周に段差１６ａが設置されている。そして、第４貫通孔９ａには段差１６ａと係合する段差９ｆが設置されている。そして、段差１６ａと段差９ｆとが組み合っている。これにより、操作者が吐出ボタン８を押したときに吐出ポンプ１４が裏蓋９から＋Ｚ方向側に移動しないように規制されている。
【００７１】
裏蓋９が被検者２と接触するときの被検者２の面を被検査面２ａとする。被検査面２ａは汗腺２ｂが設置されている皮膚の表面である。凹部１４ａは＋Ｚ方向側に開口する円錐状になっている。汗腺２ｂから被検査液としての汗２４がでるとき、汗２４の一部は凹部１４ａに溜まる。凹部１４ａに繋がる流路１４ｂの直径は毛管現象が生じる長さになっている。これにより、凹部１４ａに溜まった汗２４は流路１４ｂを進行する。
【００７２】
流路１４ｂには親水処理が施されている。親水処理は水分子とよくなじむ水酸基、カルボキシル基等を含む化合物を流路１４ｂに付与する処理である。流路１４ｂへの親水処理は特に限定されず各種の方法を用いることができる。例えば、本実施形態では、シランカップリング剤を含む溶液を流路１４ｂに塗布して乾燥する処理を施している。汗が流路１４ｂに接触する。このとき、流路１４ｂに毛管現象が作用して汗が流路１４ｂを移動する。
【００７３】
裏蓋９と表ケース１１との間には回転ダイアル１２及び案内車１３が設置されている。そして、回転ダイアル１２では軸１２ａが裏蓋９及び表ケース１１に支持され、案内車１３では軸１３ａが裏蓋９及び表ケース１１に支持されている。これにより、回転ダイアル１２及び案内車１３が回転する。回転ダイアル１２及び案内車１３と容器１８の外周とは接触し押圧し合っている。操作者が回転ダイアル１２を回転するとき、容器１８が回転する。これにより、反応ユニット１５が吐出ボタン８を中心にして回転する。
【００７４】
図７は乳酸値測定装置の構造を説明するための模式側断面図である。図７に示すように、操作者が吐出ボタン８を押すとき、スカート部１６が変形して凹部１４ａの体積が減少する。これにより、凹部１４ａ内の汗２４が流路１４ｂを通って吐出口１４ｃから刺激応答性ゲル２１に吐出される。
【００７５】
刺激応答性ゲル２１に吐出された汗２４は刺激応答性ゲル２１内に浸透して刺激応答性ゲル２１と反応する。刺激応答性ゲル２１は乳酸と反応して膨張する。刺激応答性ゲル２１には微粒子が含まれているので構造色が変化する。本実施形態では例えば反応の進行に応じて青系統の色調から赤系統の色調に変化する。そして、汗に含まれる乳酸の濃度が低いときには刺激応答性ゲル２１の色調が青系統になり、汗に含まれる乳酸の濃度が高いときには刺激応答性ゲル２１の色調が赤系統になる。
【００７６】
図８は乳酸値測定装置の構造を説明するための模式平断面図である。図８に示すように、容器１８は隔壁１８ａにより８つの部屋に仕切られている。そして、表示板１８ｃには各部屋の番号を示す数字が表示されている。数字“１”〜数字“７”に対応する部屋には刺激応答性ゲル２１が設置されている。数字“１”に対応する場所の刺激応答性ゲル２１を第１ゲル２１ａとする。同様に、数字“２”〜数字“７”に対応する場所の刺激応答性ゲル２１をそれぞれ第２ゲル２１ｂ〜第７ゲル２１ｇとする。
【００７７】
第１ゲル２１ａ〜第７ゲル２１ｇの各刺激応答性ゲル２１が反応部に相当する。そして、第１ゲル２１ａ〜第７ゲル２１ｇを合わせた刺激応答性ゲル２１が反応部群に相当する。数字“８”に対応する場所の部屋には貯留部２２が設置されている。
【００７８】
容器１８の外周は円筒状になっており、案内車１３及び回転ダイアル１２によって案内されている。操作者は回転ダイアル１２を回転することにより、吐出口１４ｃと対向する場所を切り替えることができる。そして、第１ゲル２１ａ〜第７ゲル２１ｇのうち１つの刺激応答性ゲル２１を吐出口１４ｃと対向する場所に移動して刺激応答性ゲル２１に汗２４を輸送することができる。案内車１３、回転ダイアル１２及び容器１８が切替部に相当する。刺激応答性ゲル２１は吐出ポンプ１４を囲んで配置されている。そして、切替部は刺激応答性ゲル２１と吐出ポンプ１４とを相対的に回転する。切替部により吐出口１４ｃと対向する場所に位置する刺激応答性ゲル２１を切り替えることができる。
【００７９】
さらに、操作者は回転ダイアル１２を回転することにより、第２貫通孔６と対向する場所に第１ゲル２１ａ〜第７ゲル２１ｇのうち１つの刺激応答性ゲル２１を移動することができる。そして、操作者は第２貫通孔６を通して刺激応答性ゲル２１の色調を観察できる。
【００８０】
次に上述した乳酸値測定装置１を用いた生体情報取得方法について図９〜図１６を用いて説明する。図９は、乳酸値測定方法のフローチャートである。図１０〜図１６は生体情報取得方法を説明するための模式図である。図９のフローチャートにおいて、ステップＳ１は廃棄工程に相当する。この工程は流路１４ｂ内の汗２４を貯留部２２に輸送する工程である。これにより、流路１４ｂ内の汗２４が貯留部２２に廃棄される。次にステップＳ２に移行する。ステップＳ２は発汗工程である。この工程は、被検者２を発熱させて汗腺２ｂから汗２４を出す工程である。次にステップＳ３に移行する。ステップＳ３は投入工程である。この工程では、刺激応答性ゲル２１に汗２４を投入する。そして、汗２４に含まれる乳酸と刺激応答性ゲル２１とを反応させる工程である。ステップＳ４は確認工程である。この工程は、操作者が乳酸と反応した刺激応答性ゲル２１の色調を確認する工程である。以上の工程により生体情報を取得する工程が終了する。
【００８１】
次に、図１０〜図１６を用いて、図９に示したステップと対応させて、生体情報取得方法を詳細に説明する。図１０及び図１１はステップＳ１の廃棄工程に対応する図である。図１０及び図１１に示すように、ステップＳ１では操作者が回転ダイアル１２を操作して容器１８を回転する。そして、回転ダイアル１２が吐出口１４ｃと対向する場所を貯留部２２に切り替える。
【００８２】
次に、操作者は吐出ボタン８を押す。これにより、スカート部１６が変形して凹部１４ａ内の体積が減少する。そして、凹部１４ａ内の空気が流路１４ｂを通って吐出口１４ｃから排気される。流路１４ｂには前回の測定時に収集した汗２４の一部が残留する場合がある。吐出口１４ｃから排気するとき、流路１４ｂ内に残留する汗２４が吐出口１４ｃから吐出される。そして、吐出された汗２４は貯留部２２に吸収される。従って、流路１４ｂに汗２４が残留していても流路１４ｂから排除することができる。
【００８３】
図１２はステップＳ２の発汗工程に対応する図である。図１２に示すように、ステップＳ２において、被検者２が運動して発熱する。そして、運動が被検者２の体温を上昇させる。そして、汗腺２ｂから汗２４が出る。被検査面２ａには吐出ポンプ１４の凹部１４ａが被検査面２ａと対向するように設置されている。そして、凹部１４ａには汗２４が貯留される。吐出ボタン８及び吐出パイプ１７では毛管現象が作用して流路１４ｂ内に汗２４が移動する。
【００８４】
図１３〜図１５はステップＳ３の投入工程に対応する図である。図１３に示すように、ステップＳ３において、操作者は回転ダイアル１２を操作して容器１８を回転させる。第１ゲル２１ａは未使用の状態とし、第１ゲル２１ａを用いて乳酸値の検査を行うことにする。そして、吐出口１４ｃと対向する場所を第１ゲル２１ａに切り替える。
【００８５】
図１４に示すように、操作者は吐出ボタン８を押す。これにより、スカート部１６が変形して凹部１４ａ内の体積が減少する。そして、凹部１４ａ内の汗２４が流路１４ｂを通って吐出口１４ｃから第１ゲル２１ａに輸送される。吐出口１４ｃから汗２４を輸送するとき、流路１４ｂ内に進行した汗２４も吐出口１４ｃから第１ゲル２１ａに輸送される。
【００８６】
図１５に示すように、操作者は回転ダイアル１２を操作して容器１８を回転させる。そして、第２貫通孔６と対向する場所を第１ゲル２１ａに切り替える。そして、このまま放置する。この間に第１ゲル２１ａは汗２４に含まれる乳酸と反応する。その結果、第１ゲル２１ａの構造色が乳酸値に応じて変化する。
【００８７】
図１６はステップＳ４の確認工程に対応する図である。図１６に示すように、ステップＳ４において、操作者は第２貫通孔６から第１ゲル２１ａの色調を観察する。第２貫通孔６から表示板１８ｃの一部が見える。表示板１８ｃには第１ゲル２１ａを示す数字“１”を確認できる。これにより、操作者は第２貫通孔６から見える刺激応答性ゲル２１が第１ゲル２１ａであることを認識できる。
【００８８】
第２貫通孔６の近くには色調の見本２５が設置されている。色調の見本２５は乳酸値に応じた色調が表示されている。そして、色調に対応する乳酸値を示す乳酸値目盛２５ａが色調の見本２５の近くに設置されている。操作者は第１ゲル２１ａの色調と色調の見本２５とを比較する。そして、色調の見本２５と乳酸値目盛２５ａとを用いて第１ゲル２１ａの乳酸値を評価する。以上の工程により生体情報を取得する工程が終了する。
【００８９】
上述したように、本実施形態によれば、以下の効果を有する。
（１）本実施形態によれば、乳酸値測定装置１は刺激応答性ゲル２１、吐出ポンプ１４及び回転ダイアル１２を備えている。刺激応答性ゲル２１は第１ゲル２１ａ〜第７ゲル２１ｇを有している。そして、吐出ポンプ１４は汗２４を刺激応答性ゲル２１に輸送する。その刺激応答性ゲル２１は汗２４を吸収し汗２４の乳酸に反応する。回転ダイアル１２は吐出ポンプ１４が汗２４を設置する刺激応答性ゲル２１を切り替える。
【００９０】
一回反応させた反応部は汗２４を含んでいるので再利用するのが難しい。第１ゲル２１ａ〜第７ゲル２１ｇに未反応の刺激応答性ゲル２１があるとする。このとき回転ダイアル１２を操作して操作者が汗２４を設置する場所を未反応の刺激応答性ゲル２１に切り替える。尚、未反応は汗２４との反応が行われていない未使用の状態を示す。これにより、乳酸値測定装置１は汗２４の乳酸による反応を７回行うことができる。
【００９１】
（２）本実施形態によれば、乳酸値測定装置１は貯留部２２を備えている。貯留部２２は吐出ポンプ１４が輸送する汗２４を貯留することができる。操作者が回転ダイアル１２を操作して吐出ポンプ１４が汗２４を設置する場所を貯留部２２に切り替える。吐出ポンプ１４の内部に存在する汗２４を除去したいときには、回転ダイアル１２を操作して操作者が汗２４を設置する場所を貯留部２２に切り替える。そして、吐出ポンプ１４の内部に存在する汗２４を貯留部２２に移動させることができる。その結果、流路１４ｂに時間が経過した汗２４があるときに流路１４ｂから汗２４を除去することができる。
【００９２】
（３）本実施形態によれば、第１ゲル２１ａ〜第７ゲル２１ｇは吐出ポンプ１４を囲んで配置されている。そして、回転ダイアル１２は吐出ポンプ１４に対して第１ゲル２１ａ〜第７ゲル２１ｇを回転する。従って、回転ダイアル１２は汗２４を設置する刺激応答性ゲル２１を切り替えることができる。その結果、汗２４を設置する場所を切り替える構造を簡易な構造にすることができる。
【００９３】
（４）本実施形態によれば、吐出ポンプ１４は凹部１４ａを備えている。凹部１４ａの壁は柔軟なので、凹部１４ａの体積を増減することができる。凹部１４ａ内に汗２４が位置するとき、凹部１４ａの体積を増減することにより汗２４を輸送することができる。従って、吐出ポンプ１４は簡便な構造で汗２４を輸送することができる。
【００９４】
（５）本実施形態によれば、乳酸値測定装置１は刺激応答性ゲル２１及び吐出ポンプ１４が着脱可能になっている。刺激応答性ゲル２１及び吐出ポンプ１４を着脱して交換することにより、刺激応答性ゲル２１を未反応の状態にすることができる。さらに、吐出ポンプ１４に時間が経て変質した汗２４が付着するときにも、吐出ポンプ１４に汗２４が付着していない状態にすることができる。
【００９５】
（６）本実施形態によれば、刺激応答性ゲル２１は汗２４の乳酸に反応して色が変化する。そして、乳酸値測定装置１は刺激応答性ゲル２１の色が見える第２貫通孔６を備えている。従って、容易に刺激応答性ゲル２１が反応している程度を目視確認することができる。
【００９６】
（７）本実施形態によれば、第２貫通孔６の周りには刺激応答性ゲル２１の色調の見本２５が表示されている。従って、刺激応答性ゲル２１が反応している程度を色調の見本２５と比較して評価することができる。
【００９７】
（第２の実施形態）
次に、乳酸値測定装置の一実施形態について図１７及び図１８を用いて説明する。本実施形態が第１の実施形態と異なるところは、刺激応答性ゲル２１の変化を検出する方法が異なる点にある。尚、第１の実施形態と同じ点については説明を省略する。図１７は乳酸値測定装置の構造を説明するための模式側断面図である。図１８は乳酸値測定装置の電気制御ブロック図である。
【００９８】
図１７に示すように、ゲルセンサーとしての乳酸値測定装置２８は表ケース２９及び裏蓋９からなる外装部３０を備えている。外装部３０の内部には吐出ポンプ１４、反応ユニット３１、回転ダイアル１２、案内車１３、支持部３２、回路基板３３及び表示部３４を備えている。
【００９９】
反応ユニット３１は第１の実施形態の反応ユニット１５に相当する。支持部３２は回転ダイアル１２の軸１２ａ及び案内車１３の軸１３ａを支持する軸受を備えている。回路基板３３は刺激応答性ゲル２１の変化を検出する回路が実装されている。表示部３４は検出した結果を表示する部位である。表示部３４は回路基板３３に搭載された回路により駆動される。
【０１００】
反応ユニット３１は容器３５を備え、容器３５は第１実施形態の容器１８と同様に隔壁１８ａにより仕切られている。容器３５の底面には電極、変換部及び導電率センサーとしての第１電極３６が設置され、第１電極３６上に刺激応答性ゲル２１が設置されている。第１電極３６の一部は容器３５の外周側に続いている。刺激応答性ゲル２１の−Ｚ側の面には電極、変換部及び導電率センサーとしての第２電極３７が設置されている。刺激応答性ゲル２１は膜の形状を有し刺激応答性ゲル２１の対向する面に第１電極３６及び第２電極３７が設置されている。第１電極３６及び第２電極３７等により導電率センサーが構成されている。
【０１０１】
回路基板３３には第１端子３８が設置され、第１端子３８の端は第１電極３６と接触する。さらに、回路基板３３には第２端子３９が設置され、第２端子３９の端は第２電極３７と接触する。
【０１０２】
表示部３４は検出した乳酸値や測定の状況を表示する装置である。表示部３４は電子データを画像にして表示可能であれば良く特に限定されず、液晶表示装置やＯＬＥＤ（Ｏｒｇａｎｉｃ  ｌｉｇｈｔ−ｅｍｉｔｔｉｎｇ  ｄｉｏｄｅｓ）表示装置を用いることができる。本実施形態では、例えば、表示部３４にＯＬＥＤ表示装置を用いている。
【０１０３】
反応ユニット３１の＋Ｙ方向側には支持部３２に光センサー４０が設置されている。光センサー４０は発光部４０ａ及び受光部４０ｂを備えている。容器３５の側面にはマークが設置されている。光センサー４０と対向する場所にマークが位置するとき、受光部４０ｂはマークにて反射した光を受光してマークを検出する。光センサー４０がマークを検出するとき表示部３４に検出したことを示す表示が表示される。従って、操作者は表示部３４を確認して反応ユニット３１を所定の位置に合わせることができる。
【０１０４】
図１８は乳酸値測定装置の電気制御ブロック図である。図１８に示すように、乳酸値測定装置２８は乳酸値測定装置２８の動作を制御する制御部としての電気回路４２を備えている。そして、電気回路４２はプロセッサーとして各種の演算処理を行うＣＰＵ４３（Ｃｅｎｔｒａｌ  Ｐｒｏｃｅｓｓｉｎｇ  Ｕｎｉｔ）と、各種情報を記憶するメモリー４４とを備えている。導電率測定部４５、Ａ／Ｄ変換部４６（Ａｎａｌｏｇ  Ｄｉｇｔａｌ）、表示部３４、操作スイッチ４７、通信部４８及び光センサー４０は入出力インターフェイス５１及びデータバス５２を介してＣＰＵ４３に接続されている。
【０１０５】
導電率測定部４５は刺激応答性ゲル２１に設置された第１電極３６及び第２電極３７に電圧を印加し第１電極３６及び第２電極３７間に流れる電流を検出する部位である。刺激応答性ゲル２１に含まれる乳酸の乳酸値に応じて刺激応答性ゲル２１の導電率がかわる。従って、導電率測定部４５が刺激応答性ゲル２１に流れる電流を検出することにより乳酸値に対応した刺激応答性ゲル２１の導電率を検出することができる。
【０１０６】
Ａ／Ｄ変換部４６は導電率測定部４５が検出した刺激応答性ゲル２１の導電率をデジタルのデータ信号に変換して出力する部位である。第１電極３６及び第２電極３７、導電率測定部４５及びＡ／Ｄ変換部４６等により変換部が構成されている。
【０１０７】
操作スイッチ４７は乳酸値測定装置２８を操作するスイッチである。操作者は操作スイッチ４７を操作して乳酸値の測定開始指示や測定条件等の各種指示入力を行う。
【０１０８】
通信部４８は外部機器と通信する部位である。通信部４８には通信コネクター４９が設置され、配線を介して通信コネクター４９に外部機器が接続される。通信コネクター４９を通して通信部４８は測定した乳酸値のデータを外部機器に送信する。さらに、測定条件を外部機器から入力する。
【０１０９】
光センサー４０は支持部３２に対する容器３５の角度を検出する部位である。そして、第１ゲル２１ａ〜第７ゲル２１ｇ及び貯留部２２の内どれが吐出口１４ｃと対向しているかの信号を出力する。さらに、第１ゲル２１ａ〜第７ゲル２１ｇの内どれが第１端子３８及び第２端子３９と対向しているかの信号を出力する。
【０１１０】
メモリー４４は、ＲＡＭ、ＲＯＭ等といった半導体メモリーや、ハードディスク、ＤＶＤ−ＲＯＭといった外部記憶装置を含む概念である。機能的には、乳酸値測定装置２８の動作の制御手順が記述されたプログラムソフト５３を記憶する記憶領域や、導電率と乳酸値との関係を示す相関表５４のデータを記憶するための記憶領域が設定される。他にも、ＣＰＵ４３のためのワークエリアやテンポラリーファイル等として機能する記憶領域やその他各種の記憶領域が設定される。
【０１１１】
ＣＰＵ４３は、メモリー４４内に記憶されたプログラムソフトに従って、乳酸値を測定する制御を行うものである。具体的な機能実現部としてＣＰＵ４３は演算部としての乳酸値演算部５５を有する。乳酸値演算部５５はＡ／Ｄ変換部４６から導電率のデータ信号を入力する。そして、データ信号の値及び相関表５４を参照して乳酸値を演算する。
【０１１２】
他にも、ＣＰＵ４３は導電率測定部４５が第１電極３６及び第２電極３７に出力する電圧値を制御する。また、ＣＰＵ４３は乳酸値演算部５５が演算した乳酸値を表示部３４に出力する制御を行う。さらに、ＣＰＵ４３は操作スイッチ４７から入力された信号に応じて乳酸値測定装置２８の動作を制御する。さらに、ＣＰＵ４３は通信部４８を駆動して外部機器に乳酸値のデータ信号を出力し、外部機器から測定条件を入力する。さらに、ＣＰＵ４３は光センサー４０を駆動して容器３５の位置を示す信号を入力する。
【０１１３】
刺激応答性ゲル２１内の第１電極３６及び第２電極３７は導電率測定部４５と接続されている。ＣＰＵ４３は導電率測定部４５を駆動して第１電極３６及び第２電極３７間に電圧を印加する。そして、導電率測定部４５は第１電極３６及び第２電極３７間に流れる電流を検出しＡ／Ｄ変換部４６に出力する。Ａ／Ｄ変換部４６は電流の値をデジタルデータであるデータ信号に変換する。そして、Ａ／Ｄ変換部４６はデータ信号をＣＰＵ４３に出力する。ＣＰＵ４３はＡ／Ｄ変換部４６からデータ信号を入力し、メモリー４４から相関表５４を入力する。相関表５４にはＡ／Ｄ変換部４６が出力するデータ信号に対する乳酸値のデータが記載されている。そして、ＣＰＵ４３では乳酸値演算部５５がデータ信号と相関表５４とを用いて乳酸値を演算する。
【０１１４】
ＣＰＵ４３は表示部３４に乳酸値の測定結果のデータを出力し、表示部３４は乳酸値の測定結果を表示する。被検者２は表示部３４を見て汗中の乳酸値を確認する。さらに、ＣＰＵ４３は表示部３４に乳酸値の測定結果が推移するグラフのデータを出力し、表示部３４は乳酸値の測定結果の推移を示すグラフを表示する。被検者２は表示部３４を見て汗中の乳酸値の推移を確認する。
【０１１５】
上述したように、本実施形態によれば、以下の効果を有する。
（１）本実施形態によれば、乳酸値測定装置２８は変換部及び乳酸値演算部５５を備えている。汗２４に含まれる乳酸の量に応じて刺激応答性ゲル２１が変化する。そして、変換部は刺激応答性ゲル２１の変化を検出してデータ信号に変換する。乳酸値演算部５５はデータ信号から汗２４に含まれる乳酸の量を演算する。従って、乳酸値測定装置２８は汗２４に含まれる乳酸の量を定量的に測定することができる。
【０１１６】
（２）本実施形態によれば、変換部は第１電極３６及び第２電極３７を備え、第１電極３６及び第２電極３７が刺激応答性ゲル２１の導電率を検出する。従って、変換部は刺激応答性ゲル２１の変化をデータ信号に変換することができる。
【０１１７】
（３）本実施形態によれば、刺激応答性ゲル２１は膜状であるので、薄く広い形状となっている。そして、第１電極３６及び第２電極３７は刺激応答性ゲル２１の対向する面に設置されている。従って、第１電極３６及び第２電極３７は厚み方向に設置するときに比べて広い面積にすることができる。第１電極３６及び第２電極３７が広い為導電率測定部４５は低い電圧で精度良く導電率を検出することができる。
【０１１８】
（４）本実施形態によれば、乳酸値測定装置２８においても回転ダイアル１２を操作して操作者が汗２４を設置する場所を未反応の刺激応答性ゲル２１に切り替える。これにより、乳酸値測定装置２８は汗２４の乳酸による反応を７回行うことができる。
【０１１９】
（第３の実施形態）
次に、乳酸値測定装置の一実施形態について図１９及び図２０を用いて説明する。本実施形態が第２の実施形態と異なるところは、刺激応答性ゲル２１の変化を検出する方法が異なる点にある。尚、第２の実施形態と同じ点については説明を省略する。図１９は乳酸値測定装置の構造を説明するための模式側断面図である。図２０は乳酸値測定装置の電気制御ブロック図である。
【０１２０】
すなわち、本実施形態では、図１９に示すようにゲルセンサーとしての乳酸値測定装置５８は表ケース２９及び裏蓋９からなる外装部３０を備えている。外装部３０の内部には吐出ポンプ１４、反応ユニット１５、回転ダイアル１２、案内車１３、支持部５９、回路基板６０及び表示部６１を備えている。
【０１２１】
支持部５９には刺激応答性ゲル２１を照射する白色光源６２が設置されている。白色光源６２は特に限定されないが本実施形態では、例えば、ＬＥＤ（Ｌｉｇｈｔ  Ｅｍｉｔｔｉｎｇ  Ｄｉｏｄｅ）等から構成されている。
【０１２２】
支持部５９には赤色検出センサー６３、青色検出センサー６４及び緑色検出センサー６５が設置されている。赤色検出センサー６３、青色検出センサー６４及び緑色検出センサー６５等により色調センサーが構成されている。赤色検出センサー６３はフォトトランジスター、赤色フィルター及び集光レンズ等により構成されている。赤色検出センサー６３を照射する光は赤色フィルターを通過してフォトトランジスターを照射する。これによりフォトトランジスターを照射する光は赤色成分の光に限定される。そして、フォトトランジスターは赤色成分の光を受光するので赤色検出センサー６３は赤色成分の光を検出する。同様に、青色検出センサー６４は青色フィルターを備え、青色成分の光を検出する。緑色検出センサー６５は緑色フィルターを備え、緑色成分の光を検出する。
【０１２３】
白色光源６２は刺激応答性ゲル２１に白色光６６を照射する。白色光６６は刺激応答性ゲル２１にて反射する。刺激応答性ゲル２１にて反射した反射光６７は刺激応答性ゲル２１の構造色を反映した色になっている。反射光６７は赤色検出センサー６３、青色検出センサー６４及び緑色検出センサー６５を照射する。そして、赤色検出センサー６３、青色検出センサー６４及び緑色検出センサー６５はそれぞれ赤、青、緑色の輝度に対応する電気信号を出力する。
【０１２４】
図２０に示すように、乳酸値測定装置５８は乳酸値測定装置５８の動作を制御する制御部としての電気回路６８を備えている。電気回路６８はプロセッサーとして各種の演算処理を行うＣＰＵ７１と、各種情報を記憶するメモリー７２とを備えている。光源駆動部７３、受光量測定部７４、Ａ／Ｄ変換部７５、表示部６１、操作スイッチ４７、通信部４８及び光センサー４０は入出力インターフェイス７６及びデータバス７７を介してＣＰＵ７１に接続されている。
【０１２５】
光源駆動部７３は白色光源６２と接続され、白色光源６２を駆動する部位である。光源駆動部７３はＣＰＵ７１と接続されており、ＣＰＵ７１は白色光源６２の点灯、消灯及び光量を制御する。
【０１２６】
受光量測定部７４は赤色検出センサー６３、青色検出センサー６４及び緑色検出センサー６５と接続されている。そして、受光量測定部７４が赤色検出センサー６３、青色検出センサー６４及び緑色検出センサー６５を駆動する。
【０１２７】
そして、赤色検出センサー６３は刺激応答性ゲル２１の表面で反射した反射光６７のうち赤色成分の輝度を示す信号を受光量測定部７４に出力する。同様に、青色検出センサー６４は刺激応答性ゲル２１の表面で反射した反射光６７のうち青色成分の輝度を示す信号を受光量測定部７４に出力する。緑色検出センサー６５は刺激応答性ゲル２１の表面で反射した反射光６７のうち緑色成分の輝度を示す信号を受光量測定部７４に出力する。
【０１２８】
受光量測定部７４は赤青緑色の各光の輝度を示す信号を入力してＡ／Ｄ変換部７５に出力する。Ａ／Ｄ変換部７５は赤青緑色の各光の輝度を示すデータをＣＰＵ７１に出力する。
【０１２９】
メモリー７２にはプログラムソフト７８及び相関表７９等が記憶されている。プログラムソフト７８には、乳酸値測定装置５８の動作の制御手順が記述されている。相関表７９には刺激応答性ゲル２１の色調と乳酸値との関係を示すデータが記載されている。
【０１３０】
ＣＰＵ７１は、メモリー７２内に記憶されたプログラムソフト７８に従って、乳酸値を測定する制御を行うものである。具体的な機能実現部としてＣＰＵ７１は色調検出部８０を有する。色調検出部８０は光源駆動部７３を駆動させて白色光源６２を点灯させる。受光量測定部７４は赤色検出センサー６３、青色検出センサー６４及び緑色検出センサー６５から各色の輝度信号を入力してＡ／Ｄ変換部７５に出力する。Ａ／Ｄ変換部７５は各色の輝度データをＣＰＵ７１に出力する。色調検出部８０は各色の輝度データを用いて刺激応答性ゲル２１の色調を演算する。赤色検出センサー６３、青色検出センサー６４、緑色検出センサー６５、受光量測定部７４及びＡ／Ｄ変換部７５が変換部に相当する。赤色検出センサー６３、青色検出センサー６４、緑色検出センサー６５が色調センサーに相当する。
【０１３１】
他にも、具体的な機能実現部としてＣＰＵ７１は乳酸値演算部８１を有する。乳酸値演算部８１は色調検出部８０から刺激応答性ゲル２１の色調のデータを入力する。そして、刺激応答性ゲル２１の色調のデータ及び相関表７９を参照して乳酸値を演算する。色調検出部８０及び乳酸値演算部８１が演算部に相当する。
【０１３２】
上述したように、本実施形態によれば、以下の効果を有する。
（１）本実施形態によれば、刺激応答性ゲル２１は乳酸に反応して体積が膨張する。刺激応答性ゲル２１には反射率の高い微粒子が混入されている。刺激応答性ゲル２１の体積が膨張すると色が変化するので、容易に反応の程度を検出することができる。
【０１３３】
（２）本実施形態によれば、乳酸値測定装置５８は赤色検出センサー６３、青色検出センサー６４及び緑色検出センサー６５を備え、赤色検出センサー６３、青色検出センサー６４及び緑色検出センサー６５が刺激応答性ゲル２１の色調を検出する。従って、受光量測定部７４及びＡ／Ｄ変換部７５は刺激応答性ゲル２１の色調の変化をデータ信号に変換することができる。
【０１３４】
（３）本実施形態によれば、乳酸値測定装置５８においても回転ダイアル１２を操作して操作者が汗２４を設置する場所を未反応の刺激応答性ゲル２１に切り替える。これにより、乳酸値測定装置５８は汗２４の乳酸による反応を７回行うことができる。
【０１３５】
（第４の実施形態）
次に、グルコース測定装置の一実施形態について図２１のグルコース測定装置の電気制御ブロック図を用いて説明する。本実施形態が第１の実施形態と異なるところは、刺激応答性ゲル２１の導電率の変化を検出してグルコース量を演算する点にある。グルコースが刺激応答性ゲル２１の反応成分及び特定物質に該当する。尚、第２の実施形態と同じ点については説明を省略する。
【０１３６】
すなわち、本実施形態では、図２１に示すようにゲルセンサーとしてのグルコース測定装置８４はグルコース測定装置８４の動作を制御する制御部としての電気回路８５を備えている。そして、電気回路８５はプロセッサーとして各種の演算処理を行うＣＰＵ８６と、各種情報を記憶するメモリー８７とを備えている。
【０１３７】
メモリー８７は機能的にはグルコース測定装置８４の動作の制御手順が記述されたプログラムソフト８８を記憶する記憶領域や、導電率とグルコース量との関係を示す相関表８９のデータを記憶するための記憶領域が設定される。刺激応答性ゲル２１にグルコースが浸透するとき、ボロン酸基とグルコースとが結合する。このとき刺激応答性ゲル２１の導電率が変化する。従って、汗２４の中に含まれるグルコース量に対応して刺激応答性ゲル２１の導電率が変化する為、刺激応答性ゲル２１の導電率を検出することでＣＰＵ８６は汗２４の中に含まれるグルコース量を推定することができる。相関表８９は導電率とグルコース量との関係を示している。
【０１３８】
ＣＰＵ８６は、メモリー８７内に記憶されたプログラムソフトに従って、グルコース量を測定する制御を行うものである。具体的な機能実現部としてＣＰＵ８６は演算部としてのグルコース量演算部９０を有する。グルコース量演算部９０はＡ／Ｄ変換部４６から導電率のデータ信号を入力する。そして、データ信号の値及び相関表８９を参照してグルコース量を演算する。
【０１３９】
上述したように、本実施形態によれば、以下の効果を有する。
（１）本実施形態によれば、グルコース測定装置８４は刺激応答性ゲル２１、導電率測定部４５、Ａ／Ｄ変換部４６及びグルコース量演算部９０を備えている。汗２４に含まれるグルコース量に応じて刺激応答性ゲル２１が変化する。そして、導電率測定部４５及びＡ／Ｄ変換部４６は刺激応答性ゲル２１の変化を検出してデータ信号に変換してグルコース量演算部９０に出力する。グルコース量演算部９０はデータ信号から汗２４に含まれるグルコース量を演算する。従って、グルコース測定装置８４は汗２４に含まれるグルコース量を測定することができる。
【０１４０】
（２）本実施形態によれば、グルコース測定装置８４においても回転ダイアル１２を操作して操作者が汗２４を設置する場所を未反応の刺激応答性ゲル２１に切り替える。これにより、グルコース測定装置８４は汗２４のグルコースによる反応を７回行うことができる。
【０１４１】
（３）本実施形態によれば、グルコース測定装置８４を被検者２に常時設置できる。これにより、被検者２が糖尿病患者のとき被検者２の体調を連続して測定できる。
【０１４２】
（第５の実施形態）
次に、グルコース測定装置の一実施形態について図２２のグルコース測定装置の電気制御ブロック図を用いて説明する。本実施形態が第３の実施形態と異なるところは、刺激応答性ゲル２１の色調の変化を検出してグルコース量を演算する点にある。尚、第３の実施形態と同じ点については説明を省略する。
【０１４３】
すなわち、本実施形態では、図２２に示すようにゲルセンサーとしてのグルコース測定装置９３はグルコース測定装置９３の動作を制御する制御部としての電気回路９４を備えている。そして、電気回路９４はプロセッサーとして各種の演算処理を行うＣＰＵ９５と、各種情報を記憶するメモリー９６とを備えている。
【０１４４】
メモリー９６は機能的にはグルコース測定装置９３の動作の制御手順が記述されたプログラムソフト９７を記憶する記憶領域や、色調とグルコース量との関係を示す相関表９８のデータを記憶するための記憶領域が設定される。
【０１４５】
ＣＰＵ９５は、メモリー９６内に記憶されたプログラムソフトに従って、グルコース量を測定する制御を行うものである。具体的な機能実現部としてＣＰＵ９５は色調検出部８０を有する。色調検出部８０はＡ／Ｄ変換部７５から赤、青、黄色の各色の輝度のデータを入力し色調を演算する。他にも、ＣＰＵ９５は演算部としてのグルコース量演算部９９を有する。グルコース量演算部９９は色調検出部８０から刺激応答性ゲル２１の色調のデータを入力する。そして、グルコース量演算部９９は色調のデータ及び相関表９８を参照してグルコース量を演算する。
【０１４６】
刺激応答性ゲル２１にグルコースが浸透するとき、ボロン酸基とグルコースとが結合する。このとき刺激応答性ゲル２１の色調が変化する。そして、受光量測定部７４及びＡ／Ｄ変換部７５は刺激応答性ゲル２１の変化を検出してデータ信号に変換して色調検出部８０に出力する。色調検出部８０はデータ信号から刺激応答性ゲル２１の色調を演算してグルコース量演算部９９に出力する。グルコース量演算部９９は色調検出部８０が出力する色調から汗２４に含まれるグルコース量を演算する。従って、グルコース測定装置９３は汗２４に含まれるグルコース量を測定することができる。
【０１４７】
上述したように、本実施形態によれば、以下の効果を有する。
（１）本実施形態によれば、グルコース測定装置９３は刺激応答性ゲル２１、受光量測定部７４、Ａ／Ｄ変換部７５及びグルコース量演算部９９を備えている。汗２４に含まれるグルコース量に応じて刺激応答性ゲル２１の色調が変化する。そして、受光量測定部７４及びＡ／Ｄ変換部７５は刺激応答性ゲル２１の赤青緑色の各色の輝度の変化を検出してデータ信号に変換して色調検出部８０に出力する。色調検出部８０は赤青緑色の各色の輝度のデータ信号から色調を演算してグルコース量演算部９９に出力する。グルコース量演算部９９は刺激応答性ゲル２１の色調のデータから汗２４に含まれるグルコース量を演算する。従って、グルコース測定装置９３は汗２４に含まれるグルコース量を測定することができる。
【０１４８】
（２）本実施形態によれば、グルコース測定装置９３においても回転ダイアル１２を操作して操作者が汗２４を設置する場所を未反応の刺激応答性ゲル２１に切り替える。これにより、グルコース測定装置９３は汗２４のグルコースによる反応を７回行うことができる。
【０１４９】
（３）本実施形態によれば、グルコース測定装置９３を被検者２に常時設置できる。これにより、被検者２が糖尿病患者のとき被検者２の体調を連続して測定できる。
【０１５０】
尚、本実施形態は上述した実施形態に限定されるものではなく、本発明の技術的思想内で当分野において通常の知識を有する者により種々の変更や改良を加えることも可能である。変形例を以下に述べる。
（変形例１）
前記第１の実施形態〜前記第３の実施形態では、汗２４中の乳酸値を測定し、前記第４の実施形態及び前記第５の実施形態では、汗２４中のグルコース量を測定した。刺激応答性ゲル２１の成分を変えることにより乳酸値やグルコース量以外の成分を測定しても良い。例えば、医療分野ではがん細胞、血液細胞、ウイルス、細菌、たんぱく質の選択分離を行っても良い。他にも、環境分野では花粉等のアレルギー物質、毒物、有害物質、環境汚染物質の成分を測定しても良い。
【０１５１】
（変形例２）
前記第１の実施形態では、刺激応答性ゲル２１を用いたが刺激応答性ゲル２１に換えて低分子〜高分子、粒子、コロイドを含むハイドロゲルを用いても良い。
【０１５２】
（変形例３）
前記第１の実施形態では、乳酸値測定装置１は被検者２に常時設置する構造になっていた。机上に据え置きにしても良い。そして、測定する成分毎にセンサーモジュール１０を用意しておき、センサーモジュール１０を入れ替えて測定しても良い。
【０１５３】
（変形例４）
前記第１の実施形態では、汗２４に含まれる乳酸を検出した。検査する液体は汗２４以外でもよい。血液や体液の他工業的に生産された溶液、分析用に採取した溶液でもよい。各種溶液に含まれる乳酸を検出することができる。例えば、細胞培養モニターに乳酸値測定装置１を用いることができる。培養されている細胞は代謝成分として乳酸を生成する。乳酸が培養液中に蓄積されると培養液が酸性になり、培養細胞がダメージをうける。これまでの培養ではフェノールレッドという溶液を培養液に入れておき、その色で培養液のｐＨを確認していた。酸性に傾くと、もともと赤だった色が黄色になるため、色の変化で培地交換を行っていた。培養液のペーハー検出方法としてセンサーモジュール１０を用いることにより、フェノールレッドが細胞に与える影響を抑制できる。
【０１５４】
他にも、乳酸発酵モニターに乳酸値測定装置１を用いることができる。漬物、ヨーグルトは乳酸発酵が使われている。乳酸発酵は酸素の非存在下で細菌や動物細胞でおこる発酵形式であり、乳酸発酵を通じて１分子のグルコースが２分子の乳酸になる。乳酸発酵で生成された乳酸をセンサーモジュール１０が検出し、発酵度合を判断して発酵を終了させるタイミングを制御することができる。
【０１５５】
他にも、血糖値モニターに乳酸値測定装置１を用いることができる。血液中のグルコース濃度は糖尿病の指標として着目されており、現在は穿刺による血液検査が行われている。しかし侵襲的であるため、非侵襲の方法が検討されている。大学や研究機関では、涙中のグルコース濃度を測定する方法が検討されている。センサーモジュール１０を用いて涙中のグルコース濃度を検出しても良い。尚、変形例２〜変形例４は前記第２の実施形態〜前記第４の実施形態にも適用することができる。
【０１５６】
（変形例５）
前記第１の実施形態では、操作者が回転ダイアル１２を操作して反応ユニット１５を回転させた。外装部３に対して反応ユニット１５を固定して回転ダイアル１２が吐出ポンプ１４を回転する構造にしても良い。そして、第２貫通孔６は総ての刺激応答性ゲル２１が見える形状にする。この構造のときにも、第１ゲル２１ａ〜第７ゲル２１ｇの１つを選択して、選択した刺激応答性ゲル２１に汗２４を吐出することができる。
【０１５７】
（変形例６）
前記第１の実施形態では、ステップＳ４の確認工程を終えた後終了した。ステップＳ４の後にステップＳ１の廃棄工程を行っても良い。流路１４ｂ内の汗２４を貯留部２２に除去することにより、流路１４ｂ内に汗２４の成分が残留して付着することを抑制できる。
【０１５８】
（変形例７）
前記第１の実施形態では、回転ダイアル１２を介して反応ユニット１５を回転した。回転ダイアル１２を設けずに容器１８の一部を外装部３から露出させる。そして、操作者が直接反応ユニット１５を回転させても良い。乳酸値測定装置１の構造を簡易にすることができる。
【符号の説明】
【０１５９】
１，２８，５８…ゲルセンサーとしての乳酸値測定装置、６…窓としての第２貫通孔、１２…切替部としての回転ダイアル、１３…切替部としての案内車、１４…液体輸送部としての吐出ポンプ、１４ａ…凹部、１８…切替部としての容器、２１…反応部群としての刺激応答性ゲル、２１ａ…反応部としての第１ゲル、２１ｂ…反応部としての第２ゲル、２１ｃ…反応部としての第３ゲル、２１ｄ…反応部としての第４ゲル、２１ｅ…反応部としての第５ゲル、２１ｆ…反応部としての第６ゲル、２１ｇ…反応部としての第７ゲル、２２…貯留部、２４…被検査液としての汗、２５…色調の見本、３６…電極、変換部及び導電率センサーとしての第１電極、３７…電極、変換部及び導電率センサーとしての第２電極、４５…変換部としての導電率測定部、４６…変換部としてのＡ／Ｄ変換部、５５，８１…演算部としての乳酸値演算部、６３…色調センサーとしての赤色検出センサー、６４…色調センサーとしての青色検出センサー、６５…色調センサーとしての緑色検出センサー、８４，９３…ゲルセンサーとしてのグルコース測定装置、９０，９９…演算部としてのグルコース量演算部。
【図１】
2017079911.tif 000003
【図２】
2017079911.tif 000004
【図３】
2017079911.tif 000005
【図４】
2017079911.tif 000006
【図５】
2017079911.tif 000007
【図６】
2017079911.tif 000008
【図７】
2017079911.tif 000009
【図８】
2017079911.tif 000010
【図９】
2017079911.tif 000011
【図１０】
2017079911.tif 000012
【図１１】
2017079911.tif 000013
【図１２】
2017079911.tif 000014
【図１３】
2017079911.tif 000015
【図１４】
2017079911.tif 000016
【図１５】
2017079911.tif 000017
【図１６】
2017079911.tif 000018
【図１７】
2017079911.tif 000019
【図１８】
2017079911.tif 000020
【図１９】
2017079911.tif 000021
【図２０】
2017079911.tif 000022
【図２１】
2017079911.tif 000023
【図２２】
2017079911.tif 000024